(57)【要約】【課題】コンテンツの配信が許可されていない記録媒体に当該コンテンツが記録されることを防止する。【解決手段】情報配信システム（１）は、情報記録媒体（１００）の第１領域（２０）に記録された識別情報および第２領域（４０）に記録された第２領域特有情報をそれぞれ再生する記録再生装置（６０）と、上記識別情報、および上記第２領域特有情報が再生されたことを示す再生情報をサーバ（９０）へ送信する端末装置（７０）と、これらの情報に基づいて、要求されたコンテンツの配信の可否を判定するサーバ（９０）とを含む。【選択図】図１
2014106987.tif 000002
【特許請求の範囲】
【請求項１】
情報記録媒体の第１領域に予め記録されており、配信情報を配信するときの認証に用いられる識別情報、および上記情報記録媒体の第２領域にのみ記録されている第２領域特有情報をそれぞれ再生する記録再生装置と、
配信情報の送信を要求する配信要求、上記記録再生装置が再生した識別情報、および上記第２領域特有情報が再生されたことを示す再生情報をサーバへ送信する端末装置と、
受信した識別情報による認証の結果および上記再生情報の受信の結果に基づいて、要求された配信情報の配信の可否を判定し、配信可能と判定した場合に、要求された配信情報を上記端末装置へ送信するサーバとを含んでおり、
上記記録再生装置は、上記サーバが送信した配信情報を、上記端末装置を介して受信し、当該配信情報を上記第２領域に記録することを特徴とする情報配信システム。
【請求項２】
上記端末装置は、上記記録再生装置から上記情報記録媒体の排出を検出すると、その旨を示す排出情報を上記サーバへ送信し、
上記サーバは、上記排出情報を受信した場合に、上記配信情報の送信を禁止することを特徴とする請求項１に記載の情報配信システム。
【請求項３】
情報記録媒体が有する情報を再生する記録再生装置を制御することにより、上記情報記録媒体の第１領域に予め記録されており、配信情報を配信するときの認証に用いられる識別情報、および上記情報記録媒体の第２領域にのみ予め記録されている第２領域特有情報を取得する再生制御手段と、
上記再生制御手段が取得した識別情報、上記第２領域特有情報が再生されたことを示す再生情報、および配信情報の送信を要求する配信要求をサーバへ送信する配信要求送信手段と、
上記サーバが、受信した識別情報による認証の結果および上記再生情報の受信の結果に基づいて、要求された配信情報の配信の可否を判定し、配信可能と判定した後に、要求された配信情報を送信した場合に、上記配信情報を受信し、上記記録再生装置を制御することにより、当該配信情報を上記第２領域に記録する記録制御手段とを備えることを特徴とする端末装置。
【請求項４】
配信情報の送信を要求する配信要求と、情報記録媒体の第１領域に予め記録されており、配信情報を配信するときの認証に用いられる識別情報と、上記情報記録媒体の第２領域にのみ記録されている第２領域特有情報が再生されたことを示す再生情報とを端末装置から取得する取得手段と、
上記取得手段が取得した識別情報による認証の結果および上記再生情報の受信の結果に基づいて、要求された配信情報の配信の可否を判定する判定手段と、
上記配信情報の配信が可能と上記判定手段が判定した場合に、要求された配信情報を上記端末装置へ送信する送信制御手段とを備えることを特徴とするサーバ。
【請求項５】
上記識別情報を用いて、上記要求された配信情報を暗号化し、暗号化された配信情報を上記端末装置へ送信することを特徴とする請求項４に記載のサーバ。
【発明の詳細な説明】
【技術分野】
【０００１】
本発明は、データ、ソフトウェア、映像、音声などの情報を配信する情報配信システム、このシステムに用いられる端末装置、およびサーバに関する。
【背景技術】
【０００２】
近年、ネットワーク、特にインターネットの普及により、従来はＣＤ（Compact Disc）などに代表されるパッケージソフトウェアの形で配布されていたソフトウェア、音楽、映像などの情報が、ネットワーク上で配信されるビジネス形態が増加してきている。
【０００３】
このような情報のネットワーク配信においては、配信される情報の盗用を防ぐためのセキュリティが重要である。
【０００４】
特許文献１では、情報を特定の記録媒体にのみ配信することが可能な情報配信方法、情報配信システムおよび情報配信装置が開示されている。特許文献１の情報配信方法では、再生専用領域と記録再生領域とを備えた記録媒体から、再生専用領域に記録された識別情報が読み出される。次いで、読み出された識別情報に基づいて、上記記録媒体に対する情報配信の可否が判断される。そして、上記判断に基づいて、配信された情報は上記記録媒体における記録再生領域に記録される。
【先行技術文献】
【特許文献】
【０００５】
【特許文献１】特開２００２−３２４３４９号公報（２００２年１１月８日公開）
【発明の概要】
【発明が解決しようとする課題】
【０００６】
しかしながら、特許文献１の発明では、識別情報による認証に成功した後に、その識別情報が記録された記録媒体とは異なる、別の記録媒体への差し替えが行われる可能性については考慮されていない。
【０００７】
本発明は、上記の問題を解決するためになされたものであり、その目的は、配信情報の配信が許可されるべき記録媒体以外の記録媒体に当該配信情報が記録される可能性を低減する情報配信システム、端末装置およびサーバを提供することである。
【課題を解決するための手段】
【０００８】
上記の課題を解決するために、本発明の一態様に係る情報配信システムは、情報記録媒体の第１領域に予め記録されており、配信情報を配信するときの認証に用いられる識別情報、および上記情報記録媒体の第２領域にのみ記録されている第２領域特有情報をそれぞれ再生する記録再生装置と、配信情報の送信を要求する配信要求、上記記録再生装置が再生した識別情報、および上記第２領域特有情報が再生されたことを示す再生情報をサーバへ送信する端末装置と、受信した識別情報による認証の結果および上記再生情報の受信の結果に基づいて、要求された配信情報の配信の可否を判定し、配信可能と判定した場合に、要求された配信情報を上記端末装置へ送信するサーバとを含み、上記記録再生装置は、上記サーバが送信した配信情報を、上記端末装置を介して受信し、当該配信情報を上記第２領域に記録することを特徴としている。
【０００９】
また、本発明の一態様に係る端末装置は、情報記録媒体が有する情報を再生する記録再生装置を制御することにより、上記情報記録媒体の第１領域に予め記録されており、配信情報を配信するときの認証に用いられる識別情報、および上記情報記録媒体の第２領域にのみ予め記録されている第２領域特有情報を取得する再生制御手段と、上記再生制御手段が取得した識別情報、上記第２領域特有情報が再生されたことを示す再生情報、および配信情報の送信を要求する配信要求をサーバへ送信する配信要求送信手段と、上記サーバが、受信した識別情報による認証の結果および上記再生情報の受信の結果に基づいて、要求された配信情報の配信の可否を判定し、配信可能と判定した後に、要求された配信情報を送信した場合に、上記配信情報を受信し、上記記録再生装置を制御することにより、当該配信情報を上記第２領域に記録する記録制御手段とを備えることを特徴としている。
【００１０】
また、本発明の一態様に係るサーバは、配信情報の送信を要求する配信要求と、情報記録媒体の第１領域に予め記録されており、配信情報を配信するときの認証に用いられる識別情報と、上記情報記録媒体の第２領域にのみ記録されている第２領域特有情報が再生されたことを示す再生情報とを端末装置から取得する取得手段と、上記取得手段が取得した識別情報による認証の結果および上記再生情報の受信の結果に基づいて、要求された配信情報の配信の可否を判定する判定手段と、上記配信情報の配信が可能と上記判定手段が判定した場合に、要求された配信情報を上記端末装置へ送信する送信制御手段とを備えることを特徴としている。
【発明の効果】
【００１１】
本発明の一態様に係る情報配信システムでは、識別情報に加えて、第２領域特有情報が再生されたことを示す再生情報を、配信情報の配信の可否の判定に用いることができるため、配信情報の配信が許可されるべき記録媒体以外の記録媒体に対して不正に配信情報が記録される可能性を低減することができるという効果を奏する。
【図面の簡単な説明】
【００１２】
【図１】本発明の一実施形態に係る情報配信システムの構成を概念的に示す図である。
【図２】本発明の一実施形態に係る光情報記録媒体の構成を概念的に示す断面図である。
【図３】本発明の一実施形態に係る光ディスク装置の概略構成を示す機能ブロック図である。
【図４】本発明の一実施形態に係る端末装置の概略構成を示す機能ブロック図である。
【図５】本発明の一実施形態に係るサーバの構成を示す機能ブロック図である。
【図６】本発明の一実施形態に係る情報配信システムにおける処理の流れの一例を示すフローチャートである。
【図７】本発明の他の実施形態に係る情報配信システムにおける処理の流れの一例を示すフローチャートである。
【図８】本発明のさらに他の実施形態に係る光情報記録媒体の構成を概念的に示す斜視図である。
【発明を実施するための形態】
【００１３】
〔実施形態１〕
本発明の実施の一形態について図１〜図６に基づいて説明すれば、以下のとおりである。
【００１４】
（情報配信システム１の構成）
図１に基づき、本実施形態に係る情報配信システム１の構成について説明する。図１は、本実施形態の情報配信システム１の構成を概念的に示す図である。
【００１５】
図１に示すように、情報配信システム１は、光ディスク装置（記録再生装置）６０と、端末装置７０と、サーバ９０とを備えているシステムである。
【００１６】
光ディスク装置６０は、光情報記録媒体（情報記録媒体）１００のＲＯＭ（Read Only Memory）層２０（第１領域）に記録されている情報の再生、およびＲＥ（Recordable）層４０（第２領域）のデータ記録領域への情報の記録を行う。この光ディスク装置６０は、例えば、端末装置７０に通信可能に接続されたディスクドライブである。
【００１７】
端末装置７０は、光ディスク装置６０の動作を制御する装置である。また、端末装置７０は、ネットワーク８０を介して、サーバ９０と情報の送受信を行う。この端末装置７０は、例えば、パーソナルコンピュータである。
【００１８】
なお、光ディスク装置６０と端末装置７０とを一体として形成してもよい。例えば、端末装置７０の機能を光ディスク装置６０に組み込んでもよい。
【００１９】
サーバ９０は、光情報記録媒体１００に記録すべき情報を、端末装置７０へ配信する。
【００２０】
（光情報記録媒体１００の構成）
図２に基づき、本発明の一実施形態に係る光情報記録媒体１００の構成について説明する。図２は、光情報記録媒体１００の構成を概念的に示す断面図である。
【００２１】
図２に示すように、光情報記録媒体１００は、光ヘッド４１からの再生光の入射側から、透光層１０、ＲＯＭ層２０、中間層３０、ＲＥ層４０、および基板５０が設けられた構成である。ＲＯＭ層２０およびＲＥ層４０に記録された情報は、再生光によって読み出すことが可能となっている。
【００２２】
すなわち、光情報記録媒体１００は、基板５０上に、再生光によって情報を読み出すことが可能な複数の情報記録層（ＲＯＭ層２０およびＲＥ層４０）と、複数の情報記録層各々を分離する中間層３０と、基板５０より最も遠い位置に設けられた透光層１０とを有している。上記複数の情報記録層は、情報を読み出すことのみ可能なＲＯＭ層２０と情報を書き換えることが可能な領域を含むＲＥ層４０（書き換え層）とからなる。
【００２３】
つまり、光情報記録媒体１００は、情報記録層としてＲＯＭ層２０とＲＥ層４０とを有するコンビネーションディスクである。
【００２４】
なお、光情報記録媒体１００では、情報記録層は、ＲＯＭ層２０およびＲＥ層４０の２層のみとなっているが、情報記録層は、３層以上であっても良い。例えば、ＲＥ層４０を複数層設けても良い。
【００２５】
（各層の詳細）
＜透光層１０＞
透光層１０は、光ヘッド４１から出射された再生光を透過する層であり、例えば、厚さ７５μｍの紫外線硬化樹脂からなる。透光層１０の材料は、再生光の波長において透過率が高いものであれば良い。また、透光層１０の表面には、表面保護のためのハードコートが設けられていても良い。
【００２６】
＜ＲＯＭ層２０＞
ＲＯＭ層２０は、いわゆる再生専用の情報記録層であり、情報を読み出すことのみ可能な層である。このＲＯＭ層２０は、例えば、厚さ９ｎｍのＡＰＣ（ＡｇＰｄＣｕ）からなる。
【００２７】
また、ＲＯＭ層２０は、光情報記録媒体１００の外周側から、データ記録領域２０Ａおよびリードイン領域２０Ｂを有している。
【００２８】
データ記録領域２０Ａは、使用者が利用可能な情報が記録されている領域である。使用者が利用可能な情報とは、例えば、ＯＳ（Operating System）やアプリケーションソフトなどの各種ソフトウェアや動画データなどの各種コンテンツである。
【００２９】
リードイン領域２０Ｂは、対応する光ディスク装置６０が利用する情報が記録されている領域である。この領域には、主に、媒体種類情報、再生条件情報、およびセクター最終番号情報など、光情報記録媒体１００に関する媒体情報が記録されている。
【００３０】
媒体種類情報とは、Ｒ，ＲＥ，ＲＯＭ（本実施の形態の場合はＲＯＭ層とＲＥ層とのコンビネーション）等の種類の情報と層数に関する情報である。再生条件情報とは、推奨再生レーザパワー、線速等の情報である。また、セクター最終番号情報とは、ＲＯＭ層の記録されている領域を示す情報である。
【００３１】
このリードイン領域２０Ｂには、コンテンツＩＤ（識別情報）が記録されている。コンテンツＩＤとは、コンテンツを個別に特定可能な識別子であり、サーバ９０から配信されるコンテンツの著作権保護のために利用される情報である。
【００３２】
また、著作権保護のために利用する識別情報として、コンテンツＩＤの代わりに、ディスクＩＤ、ユーザＩＤまたはコンテンツを構成するデータの属性（テキスト、画像など）を示す属性データの集合を用いてもよい。ディスクＩＤとは、光情報記録媒体１００を個別に特定可能な識別子である。ユーザＩＤとは、情報配信システム１の利用者を個別に特定可能な識別子である。これらの識別情報はデータ記録領域２０Ａに記録されていてもよい。
【００３３】
＜中間層３０＞
中間層３０は、ＲＯＭ層２０およびＲＥ層４０を分離するための層であり、例えば、厚さ２５μｍの透明紫外線硬化樹脂からなる。中間層３０の材料は、これに限られたものではなく、再生光の波長において透過率が高い材料であれば良い。また、中間層３０の厚さは、ＲＯＭ層２０およびＲＥ層４０を分離でき、層間クロストークが問題にならない適度の厚さであれば良い。
【００３４】
＜ＲＥ層４０＞
ＲＥ層４０は、いわゆる書き換え型の情報記録層であり、情報を書き換え、または追記することが可能な層である。このＲＥ層４０は、例えば、スパッタ法等により７層の薄膜が積層されてなるものである。
【００３５】
このＲＥ層４０は、光情報記録媒体１００の外周側から、ユーザデータ記録領域４０Ａおよびリードイン領域４０Ｂを有している。
【００３６】
ユーザデータ記録領域４０Ａは、使用者が任意で記録する情報（配信情報を含む）が記録される領域である。
【００３７】
リードイン領域４０Ｂは、ＢＣＡ（Burst Cutting Area）領域より外周側に設けられている。このリードイン領域４０Ｂには、主に、媒体種類情報、再生条件情報、および記録条件情報など、光情報記録媒体１００に関する媒体情報が記録されている。
【００３８】
ユーザデータ記録領域４０Ａおよびリードイン領域４０Ｂには、層番号情報（第２領域特有情報）が記録されている。層番号情報とは、ＲＥ層４０を他の情報記録層と区別し、特定するための層番号を示す情報である。本実施形態では、第２領域特有情報とは、ＲＯＭ層２０には記録されておらず、ＲＥ層４０にのみ記録されている情報を意味する。
【００３９】
また、第２領域特有情報として、層番号情報の代わりに、（i）ＲＥ層４０の記録・再生箇所を判断するための情報であるアドレス情報、または、（ii）ＲＥ層４０にのみ記録された特定の情報（所定の文字列および／または記号列）を用いてもよい。これらの情報もユーザデータ記録領域４０Ａに記録されていてもよいし、リードイン領域４０Ｂに記録されていてもよい。
【００４０】
第２領域特有情報が再生されることにより、光ピックアップ４の再生／記録位置がＲＥ層４０に移ったことを意味する。そのため、第２領域特有情報を再生し、当該第２領域特有情報をサーバ９０に送信することにより、光ピックアップ４の再生／記録位置がＲＥ層４０に移ったことをサーバ９０に対して報知することができる。
【００４１】
なお、第２領域特有情報そのものをサーバ９０に送信する必要はなく、第２領域特有情報が再生されたことを示す情報（再生情報と称する）をサーバ９０に送信してもよい。第２領域特有情報が示す情報をサーバ９０において利用するわけではなく、第２領域特有情報が再生されたことをサーバ９０が認識できればよいからである。
【００４２】
媒体種類情報とは、Ｒ，ＲＥ，ＲＯＭ（本実施の形態の場合はＲＯＭ層とＲＥ層とのコンビネーション）等の種類の情報と層数に関する情報である。再生条件情報とは、推奨再生レーザパワー、線速等の情報である。記録条件情報とは、推奨記録パワー、推奨記録ストラテジ等の情報である。
【００４３】
また、ＢＣＡには、主として、光情報記録媒体の構造を示す識別情報（ディスク識別情報）が記録される。識別情報の具体例としては、ディスクの層のタイプ（再生専用型、追記型、書き換え型）、ディスクのサイズ、ディスクのバージョン（速度等に関連）、およびディスク固有の番号などが例示できる。これらの各識別情報のＢＣＡにおける記録順序（又は配置方法）は、任意であってよい。なお、これらの記録順序は、通常規格などによって決められている。
【００４４】
また、リードイン領域４０Ｂには、ユーザデータ記録領域４０Ａに記録される情報をファイル単位で管理するためのファイル管理情報が記憶されている。これにより、ユーザデータ記録領域４０Ａに記録される情報をファイル管理情報に基づいてファイル単位で管理することができる。
【００４５】
なお、透光層１０、ＲＯＭ層２０、中間層３０、ＲＥ層４０、および基板５０の厚み、層数、構成材料、および形成方法は、上述のものに限定されず、各層として機能するものであれば良い。
【００４６】
（光ディスク装置６０の構成）
次に、図３に基づき、本発明の一実施形態に係る光ディスク装置６０の構成について説明する。光ディスク装置６０は、光情報記録媒体１００を含むＤＶＤやＢＤなどの光情報記録媒体に対して情報の記録および再生を行う装置である。
【００４７】
図３は、光ディスク装置６０の概略構成を示す機能ブロック図である。図３に示すように、光ディスク装置６０は、主として、ディスク装填認識部２、記録再生回路群３、光ピックアップ４、およびスピンドルモータ５を含んでいる。
【００４８】
光ピックアップ４は、さらに光ヘッド４１およびアクチュエータ４２を含んでいる。
【００４９】
また、記録再生回路群３は、さらに、ピックアップ駆動回路３１、レーザ駆動回路３２、再生回路３３、アクチュエータ駆動回路３４、およびスピンドルモータ駆動回路３５を含んでいる。
【００５０】
ディスク装填認識部２は、光情報記録媒体１００の装填および排出を検出するためのものであり、例えば、各種センサが例示できるが、光情報記録媒体１００の装填および排出を検出できるものであれば、どのようなセンサを用いても良い。このディスク装填認識部２は、検出した結果を検出信号として、端末装置主制御部７へ送信する。
【００５１】
（光ディスク装置６０の動作の概要）
＜再生時の動作＞
情報の再生時において、光ディスク装置６０では、端末装置主制御部７に制御されたアクチュエータ駆動回路３４によってアクチュエータ４２が駆動されることにより、光ピックアップ４が光情報記録媒体１００の近傍に移動する。また、端末装置主制御部７によって制御されたピックアップ駆動回路３１によって、光ピックアップ４が光情報記録媒体１００の記録部位へ移動する。そして、端末装置主制御部７によって制御されたレーザ駆動回路３２を介して、光ヘッド４１から再生用のレーザビームを光情報記録媒体１００に照射する。
【００５２】
次に、光ヘッド４１が検出した反射光は、再生回路３３にて再生信号に変換され、端末装置主制御部７へと送信される。これにより、光ディスク装置６０は、光情報記録媒体１００のトラックに記録された情報を再生する。
【００５３】
光情報記録媒体１００のコンテンツＩＤおよび層番号情報は、上述の再生動作によって読み取られ、端末装置主制御部７へと送信される。
【００５４】
＜記録時の動作＞
情報の記録時において、光ディスク装置６０では、端末装置主制御部７に制御されたスピンドルモータ駆動回路３５によって駆動されたスピンドルモータ５により、光情報記録媒体１００が回転する。また、アクチュエータ駆動回路３４によってアクチュエータ４２が駆動されることにより、光ピックアップ４が、回転した光情報記録媒体１００の近傍へ移動する。さらに、ピックアップ駆動回路３１によって、光ピックアップ４が、光情報記録媒体１００のトラック（不図示）へ移動する。
【００５５】
そして、端末装置主制御部７によって設定された記録条件に基づき、レーザ駆動回路３２を介して、光ヘッド４１から記録用のレーザビームが光情報記録媒体１００の記録部位に照射される。これにより、光ディスク装置６０は、光情報記録媒体１００のトラックに情報を記録する。
【００５６】
（端末装置７０の構成）
次に、図４に基づき、本発明の一実施形態に係る端末装置７０の構成について説明する。端末装置７０は、光ディスク装置６０の動作を制御する装置である。
【００５７】
図４は、端末装置７０の概略構成を示す機能ブロック図である。図４に示すように、端末装置７０は、主として、記憶部６、端末装置主制御部７、ディスプレイ（表示装置）８、操作部９、および通信部７６を含んでいる。
【００５８】
記憶部６は、端末装置主制御部７が実行する（１）各部の制御プログラム、（２）ＯＳプログラム、（３）アプリケーションプログラム、および、（４）これらプログラムを実行するときに読み出す各種データを記録するものである。
【００５９】
操作部９は、使用者が、光ディスク装置６０に各種の操作命令を入力するためのものであり、例えば、操作ボタンとそのインターフェースなどが例示できる。
【００６０】
ディスプレイ８は、サーバ９０に配信を要求するコンテンツを選択するための画面、サーバ９０から送信されたメッセージ、コンテンツのダウンロード状況、光情報記録媒体１００から読み出された映像情報などを表示する表示装置である。このディスプレイ８は、例えば、液晶ディスプレイである。なお、ディスプレイ８は、端末装置７０と通信可能に接続された別体の表示装置であっても良い。
【００６１】
通信部７６は、サーバ９０の通信部９６と端末装置７０との間で情報の送受信を行うための通信装置である。
【００６２】
（端末装置主制御部７の構成）
図４に示すように、端末装置主制御部７は、配信情報記録管理部７１、再生制御部７２、記録制御部７３、再生データ処理部７４、および表示制御部７５を含んでいる。
【００６３】
（配信情報記録管理部７１）
配信情報記録管理部７１は、ユーザが所望するコンテンツの配信をサーバ９０に要求するとともに、サーバ９０から受信したコンテンツを光情報記録媒体１００へ記録する処理を管理する。
【００６４】
具体的には、配信情報記録管理部７１は、所望のコンテンツの配信をサーバ９０に要求する配信要求をサーバ９０に送信する。また、配信情報記録管理部７１は、上記コンテンツをサーバ９０からダウンロードすることをサーバ９０に認可させるために必要な情報（配信認可用情報と称する）を光情報記録媒体１００から取得し、通信部７６を介してサーバ９０へ送信する。
【００６５】
配信認可用情報には、サーバ９０からダウンロードするコンテンツの著作権を保護するために利用される著作権保護情報（識別情報）と、第２領域特有情報が再生されたことを示す再生情報とが概念的に含まれる。配信認可用情報は、著作権保護情報に相当する情報と再生情報に相当する情報とを含んでいればよく、著作権保護情報および再生情報そのものであってもよい。この場合、配信情報記録管理部７１は、著作権保護情報と再生情報とを別々に（時間差を付けて）サーバ９０へ送信してもよい。
【００６６】
再生情報は、光ピックアップ４の再生／記録対象がＲＯＭ層２０からＲＥ層４０に移ったことを意味する層間移動情報であるとも表現できる。
【００６７】
上述したように、著作権保護情報（識別情報）として、例えば、コンテンツＩＤ、ディスクＩＤ、またはユーザＩＤを利用できる。以下では、著作権保護情報の一例としてコンテンツＩＤを用いて説明を行う。
【００６８】
また、上述のように再生情報として、第２領域特有情報（例えば、層番号情報、アドレス情報、ＲＥ層４０にのみ記録された特定の情報）そのものを利用してもよいし、第２領域特有情報が再生されたことを示す再生情報を、第２領域特有情報とは別に生成し、サーバ９０に送信してもよい。再生情報の生成は、例えば、配信情報記録管理部７１が行えばよい。以下では、再生情報の一例として層番号情報を用いて説明を行う。
【００６９】
また、配信情報記録管理部７１は、サーバ９０からダウンロードしたコンテンツを、記録制御部７３を介して光情報記録媒体１００に記録する。
【００７０】
また、配信情報記録管理部７１は、光情報記録媒体１００が光ディスク装置６０に装填または排出されたことをディスク装填認識部２が検出したときに、ディスク装填認識部２から送信される検出信号を受信する。
【００７１】
（再生制御部７２）
再生制御部７２は、配信情報記録管理部７１の命令に従い、ピックアップ駆動回路３１およびレーザ駆動回路３２に指令を発して、光ディスク装置６０による、光情報記録媒体１００に記録されている情報の再生を制御する。
【００７２】
（記録制御部７３）
記録制御部７３は、配信情報記録管理部７１の命令に従い、ピックアップ駆動回路３１およびレーザ駆動回路３２に指令を発して、光ディスク装置６０による、光情報記録媒体１００への情報の記録を制御する。
【００７３】
（再生データ処理部７４）
再生データ処理部７４は、光ヘッド４１によって読み取られた再生情報を、再生回路３３を介して受信し、端末装置主制御部７に送信したり、表示制御部７５を介してディスプレイ８に表示させるなど、再生情報の処理を行うものである。再生情報には、著作権保護情報（コンテンツＩＤ）および第２領域特有情報（層番号情報）のほか、映像情報、音声情報、ファイル管理情報などが含まれ、再生情報の種類に応じた処理がなされる。
【００７４】
特に、再生データ処理部７４は、再生回路３３から光情報記録媒体１００のコンテンツＩＤおよび層番号情報を受信し、配信情報記録管理部７１へと送信する。
【００７５】
表示制御部７５は、コンテンツ選択画面、各種のメッセージ、コンテンツのダウンロード状況、映像情報などをディスプレイ８に表示させるための処理を行う。
【００７６】
（サーバ９０の構成）
次に、図５に基づき、本発明の一実施形態に係るサーバ９０の構成について説明する。サーバ９０は、端末装置７０から要求されたコンテンツ（配信情報）の配信の可否を判定し、配信可能と判定した場合に、当該コンテンツを端末装置７０へ配信する。
【００７７】
図５は、サーバ９０の概略構成を示す機能ブロック図である。図５に示すように、サーバ９０は、主として、サーバ主制御部９１、データベース９５、および通信部９６を含んでいる。
【００７８】
データベース９５は、端末装置７０に配信するコンテンツを保存するものである。
【００７９】
通信部９６は、端末装置７０とサーバ９０との間で情報の送受信を行うための通信装置である。
【００８０】
（サーバ主制御部９１の構成）
図５に示すように、サーバ主制御部９１は、識別情報管理部９２、配信可否判定部９３、および情報配信部９４を含んでいる。
【００８１】
識別情報管理部９２は、通信部９６を介して、配信要求、ならびに配信認可用情報（コンテンツＩＤおよび層番号情報を含む）を、端末装置７０から受信する。そして、識別情報管理部９２は、受信した配信認可用情報に含まれるコンテンツＩＤと、データベース９５に保存されているコンテンツＩＤとを照合することにより、コンテンツの配信要求がなされた光情報記録媒体１００がコンテンツの配信対象として適切かどうかを判定する。
【００８２】
なお、上述したように、コンテンツＩＤ（識別情報）および層番号情報（再生情報）は、同時にサーバ９０に送信される必要はなく、別々に送信されてもよい。
【００８３】
配信可否判定部９３は、コンテンツの配信要求がなされた光情報記録媒体１００がコンテンツの配信対象として適切であると識別情報管理部９２が判定した場合に、受信した配信認可用情報に含まれる層番号情報が所定の要件を満たすものであるかどうか（すなわち、ＲＥ層４０の層番号情報であるかどうか）を判定する。受信した層番号情報が適切である場合、配信可否判定部９３は、要求されたコンテンツを端末装置７０へ送信することを許可することを示す配信許可情報を、情報配信部９４へ送信する。
【００８４】
情報配信部９４は、配信要求が示すコンテンツをデータベース９５から取得し、通信部９６を介して、当該コンテンツを端末装置７０へ送信する。
【００８５】
（情報配信システム１における情報配信処理の流れ）
次に情報配信システム１における情報配信処理の流れの一例について説明する。
【００８６】
図６は、情報配信システム１における情報配信処理の流れの一例を示すフローチャートである。
【００８７】
コンテンツをダウンロードするために、ユーザは、光情報記録媒体１００を光ディスク装置６０にセットし、端末装置７０の操作部９を用いて、コンテンツのダウンロードを要求する指示を入力する。
【００８８】
配信情報記録管理部７１は、上記指示を受け付けると、再生制御部７２を介して光ピックアップ４を制御することにより、光情報記録媒体１００のＲＯＭ層２０に記録されているコンテンツＩＤを読み取り、再生データ処理部７４を介して当該コンテンツＩＤを受信する（ステップＳ１）（第１再生工程）。
【００８９】
次に、配信情報記録管理部７１は、光ピックアップ４を移動させ、ＲＥ層４０に記録されている層番号情報を読み取り、再生データ処理部７４を介して当該層番号情報を受信する（ステップＳ２）（第２再生工程）。
【００９０】
配信情報記録管理部７１は、受信したコンテンツＩＤおよび層番号情報を含む配信認可用情報を生成し、生成した配信認可用情報を、コンテンツの配信を要求する配信要求とともにサーバ９０へ送信する（ステップＳ３）（識別情報送信工程）。
【００９１】
なお、配信情報記録管理部７１は、まず配信要求をサーバ９０へ送信し、サーバ９０から配信認可用情報の送信を要求された後に、コンテンツＩＤおよび層番号情報をサーバ９０へ送信してもよい。
【００９２】
サーバ９０の識別情報管理部９２は、配信要求および配信認可用情報を配信情報記録管理部７１から受信すると（ステップＳ４）、受信した配信認可用情報に含まれるコンテンツＩＤと、データベース９５に保存されているコンテンツＩＤとを照合することにより、コンテンツの配信要求がなされた光情報記録媒体１００がコンテンツの配信対象として適切かどうかを判定する（ステップＳ５）（第１判定工程）。
【００９３】
識別情報管理部９２は、コンテンツの配信要求がなされた光情報記録媒体１００がコンテンツの配信対象として適切であると判定すると（Ｓ５にてＹＥＳ）、受信した配信用要求および層番号情報を配信可否判定部９３へ出力する。
【００９４】
配信可否判定部９３は、配信認可用情報に含まれる層番号情報を受信すると、当該層番号情報がＲＥ層４０の層番号情報であるかどうかを判定する（ステップＳ６）（第２判定工程）。換言すれば、配信可否判定部９３は、所定の規定を満たす再生情報を受信したかどうか（再生情報の受信の有無（結果））を判定する。
【００９５】
受信した層番号情報がＲＥ層４０の層番号情報であると判定した場合（Ｓ６にてＹＥＳ）、配信可否判定部９３は、要求されたコンテンツを端末装置７０へ送信することを許可する配信許可情報を、配信要求とともに情報配信部９４へ送信する。
【００９６】
換言すれば、識別情報管理部９２は、受信したコンテンツＩＤ（識別情報）による認証の結果および所定の規定を満たす層番号情報（再生情報）の受信の結果に基づいて、要求された配信情報の配信の可否を判定する。
【００９７】
情報配信部９４は、配信要求が示すコンテンツをデータベース９５から取得し、通信部９６を介して、当該コンテンツを端末装置７０へ送信する（ステップＳ７）（配信情報送信工程）。
【００９８】
端末装置７０の配信情報記録管理部７１は、コンテンツを情報配信部９４から受信すると（ステップＳ８）、記録制御部７３に動作命令を送信することにより、受信したコンテンツを、光情報記録媒体１００のＲＥ層４０内のユーザデータ記録領域４０Ａに記録する（ステップＳ９）（記録工程）。
【００９９】
なお、サーバ９０は、受信したコンテンツＩＤを用いて、コンテンツを暗号化し、暗号化されたコンテンツを端末装置７０へ送信してもよい。あるいは、光ディスク装置６０は、ＲＯＭ層２０に記録されている所定の情報を用いて、サーバ９０が送信したコンテンツを暗号化し、暗号化されたコンテンツをＲＥ層４０内のユーザデータ記録領域４０Ａに記録してもよい。
【０１００】
他方、識別情報管理部９２が、コンテンツの配信要求がなされた光情報記録媒体１００がコンテンツの配信対象として適切でないと判定した場合（Ｓ５にてＮＯ）、および配信可否判定部９３が、受信した層番号情報がＲＥ層４０の層番号情報でない（すなわち、所定の規定を満たす再生情報を受信していない）と判定した場合（Ｓ６にてＮＯ）、配信可否判定部９３は、コンテンツの配信を許可しない旨を示す配信不可情報を、通信部９６を介して端末装置７０へ送信する（ステップＳ１０、Ｓ１１）。
【０１０１】
すなわち、サーバ９０の配信可否判定部９３は、再生情報を受信しなかった場合に、要求されたコンテンツの配信を許可しない判定を行う。
【０１０２】
（情報配信システム１の効果）
情報配信システム１においては、コンテンツＩＤ（識別情報）による認証の結果に加えて、第２領域特有情報が再生されたことを示す層番号情報（再生情報）の受信の結果に基づいて、要求されたコンテンツの配信の可否が判定される。
【０１０３】
コンテンツＩＤは、光情報記録媒体１００のＲＯＭ層２０に記録されており、層番号情報は、光情報記録媒体１００のＲＥ層４０に記録されている。そのため、コンテンツＩＤ、および第２領域特有情報が再生されたことを示す層番号情報を取得できたことは、光ピックアップの再生対象（または記録対象）がＲＯＭ層２０からＲＥ層４０に移動したことを意味する。
【０１０４】
このように、情報配信システム１においては、コンテンツＩＤに加えて、第２領域特有情報が再生されたことを示す層番号情報を、コンテンツの配信の可否の判定に用いることができるため、コンテンツの記録が許可されていない記録媒体（例えば、ＲＥディスク）に対して、光情報記録媒体１００が保有する識別情報（コンテンツＩＤやディスクＩＤなど）が、不正に記録された場合においても、サーバ９０から配信されたコンテンツが、不正にダウンロードおよび記録される可能性を低減することができる。
【０１０５】
これにより、例えば、光情報記録媒体１００のＲＯＭ層２０に記録されたコンテンツに関連した追加コンテンツを、サーバ９０から配信する際に、両コンテンツの著作権保護を行うことができる。
【０１０６】
〔実施形態２〕
本発明の他の実施形態について、図７に基づいて説明すれば、以下のとおりである。なお、説明の便宜上、実施の形態１と同様の部材に関しては、同じ符号を付記し、その説明を省略する。本実施形態の情報配信システム１の構成を機能ブロック図として示した場合には、図１、図３〜５に示した構成と同様のものとなる。本実施形態では、光情報記録媒体１００が光ディスク装置６０から排出された場合に、その旨を示す排出情報が端末装置７０からサーバ９０へ送信される。サーバ９０は、排出情報を受信した場合に、端末装置７０へのコンテンツの配信を中断または禁止する。
【０１０７】
（本実施形態の情報配信システム１における情報配信処理の流れ）
本実施形態の情報配信システム１における情報配信処理の流れの一例について説明する。
【０１０８】
図７は、情報配信システム１における情報配信処理の流れの一例を示すフローチャートである。ステップＳ２１からステップＳ２７までの処理の流れは、図６に示したステップＳ１からステップＳ７までの処理の流れと同様のため、その説明を省略する。
【０１０９】
端末装置７０の配信情報記録管理部７１は、コンテンツをサーバ９０の情報配信部９４から受信する（ステップＳ２８）。
【０１１０】
光ディスク装置６０のディスク装填認識部２は、光情報記録媒体１００が光ディスク装置６０から排出されていないかどうかを検出し、光情報記録媒体１００が光ディスク装置６０から排出された場合に、その旨を示す排出情報を配信情報記録管理部７１へ送信する。
【０１１１】
配信情報記録管理部７１は、排出情報を受信していない場合、すなわち、光情報記録媒体１００が排出されていない場合（ステップＳ２９にてＹＥＳ）、記録制御部７３に動作命令を送信することにより、受信したコンテンツを、光情報記録媒体１００のＲＥ層４０内のユーザデータ記録領域４０Ａに記録する（ステップＳ３０）。
【０１１２】
なお、ステップＳ２９に示された、光情報記録媒体１００が光ディスク装置６０から排出されていないかどうかの検出は、ステップＳ３０において再度実施されてもよい。
【０１１３】
なお、光ディスク装置６０は、ＲＯＭ層２０に記録されている所定の情報（暗号鍵情報）を用いて、サーバ９０が送信した配信情報を暗号化し、暗号化された配信情報をＲＥ層４０内のユーザデータ記録領域４０Ａに記録してもよい。上記所定の情報とは、例えば、ＲＯＭ層２０を識別するための識別情報である。この構成では、ＲＥ層４０に記録された配信情報を復号するときに、ＲＯＭ層２０に記録された暗号鍵情報が必要となる。そのため、配信情報を認可されていない記録媒体に不正に記録し、再生する行為を防止できる。
【０１１４】
他方、配信情報記録管理部７１は、排出情報を受信した場合、すなわち、光情報記録媒体１００が排出された場合（Ｓ２９にてＮＯ）、配信情報記録管理部７１は、当該排出情報をサーバ９０へ送信する（ステップＳ３３）。
【０１１５】
サーバ９０の識別情報管理部９２は、排出情報を配信情報記録管理部７１から受信すると（ステップＳ３４）、配信可否判定部９３へ受信した排出情報を出力する。
【０１１６】
配信可否判定部９３は、排出情報を受信すると、コンテンツの配信を中断または禁止し、コンテンツの配信を許可しない旨を示す配信不可情報を、通信部９６を介して端末装置７０へ送信する（ステップＳ３５）。
【０１１７】
端末装置７０は、配信不可情報を受信すると、コンテンツの配信が中断または禁止されたことを示すメッセージをディスプレイ８に表示する。
【０１１８】
なお、ステップＳ２９〜３５に示された処理は、サーバ側のＳ２４〜Ｓ２７の処理の間に実施されてもよい。
【０１１９】
（本実施形態の情報配信システム１の効果）
本実施形態の情報配信システム１においては、コンテンツＩＤ、および第２領域特有情報が再生されたことを示す再生情報に加えて、光情報記録媒体１００が光ディスク装置６０から排出されていないかどうかを示す排出情報をさらに用いて、要求されたコンテンツの配信の可否が判定される。
【０１２０】
このように、排出情報をさらに用いてコンテンツの配信の可否を判定することにより、コンテンツの記録が許可されるべき光情報記録媒体１００が光ディスク装置６０から排出され、他の情報記録媒体に差し替えられた場合においても、他の情報記録媒体に対して不正にコンテンツが記録されることを防ぐことができる。
【０１２１】
〔実施形態３〕
本発明の実施の一形態について、図８に基づいて説明すれば、以下のとおりである。なお、説明の便宜上、実施の形態１および２と同様の部材に関しては、同じ符号を付記し、その説明を省略する。本実施形態の情報配信システム１の構成を機能ブロック図として示した場合には、図１、図３〜５に示した構成と同様のものとなる。
【０１２２】
図８は、本実施形態において用いられる光情報記録媒体（情報記録媒体）２００の構成を概念的に示す斜視図である。光情報記録媒体２００は、ＲＥディスクまたはＲディスクであり、ＲＯＭ層を有していない点で、実施の形態１および２の光情報記録媒体１００と異なる。
【０１２３】
光情報記録媒体２００は、情報記録層としてＲＥ層のみを有する単層のディスクであり、光情報記録媒体２００の記録領域は、内周側の識別情報領域（第１領域）２０１と外周側のユーザ記録領域（第２領域）２０２との２つに分割されている。
【０１２４】
識別情報領域２０１は、ディスク管理のための領域であって、ユーザによるデータの書き込みが許可されていない領域である。ユーザ記録領域２０２は、ユーザによるデータの書き込みが許可されている領域である。
【０１２５】
識別情報領域２０１には、識別情報があらかじめ記録されている。この識別情報は、コンテンツの著作権保護のために用いられる情報であり、例えば、コンテンツＩＤが複製不可能な形で記録された情報である。他にも、識別情報として、実施形態１と同様に、ディスクＩＤやユーザＩＤを用いてもよい。
【０１２６】
ユーザ記録領域２０２には、第２領域特有情報が記録されている。この第２領域特有情報は、例えば、ユーザ記録領域２０２の記録・再生箇所を判断するための情報であるアドレス情報である。他にも、第２領域特有情報として、実施形態１と同様に、ユーザ記録領域２０２にのみ記録された特定の情報（所定の文字列および／または記号列）を用いてもよい。
【０１２７】
本実施形態の情報配信システム１においては、実施形態１と同様に、識別情報領域２０１に記録された識別情報（例えば、コンテンツＩＤ）、および、ユーザ記録領域２０２に記録された第２領域特有情報（例えば、アドレス情報）が光情報記録媒体２００から取得され、識別情報による認証の結果に加えて、第２領域特有情報が再生されたことを示す再生情報の受信の結果に基づいて、コンテンツの配信可否がサーバ９０によって判定される。
【０１２８】
このように、光情報記録媒体２００が、ＲＯＭ層を有していない単層のＲＥディスクまたはＲディスクである場合においても、他の情報記録媒体に対して不正にコンテンツが記録されることを防ぐことができる。
【０１２９】
（変更例）
上述の説明では、識別情報領域２０１を第１領域として用いているが、ユーザ記録領域２０２を第１領域として用いてもよい。
【０１３０】
例えば、ユーザ記録領域２０２のうち、著作権保護のために利用される識別情報がディスク出荷後に記録される領域を、第１領域として用いてもよい。
【０１３１】
この場合、第１領域は、ユーザ記録領域２０２の一部の領域であり、第２領域は、ユーザ記録領域２０２のうち第１領域以外の領域である。
【０１３２】
〔まとめ〕
本発明の一態様に係る情報配信システムは、情報記録媒体（光情報記録媒体）の第１領域（例えば、ＲＯＭ層）に予め記録されており、配信情報（コンテンツ）を配信するときの認証に用いられる識別情報（例えば、コンテンツＩＤ）、および上記情報記録媒体の第２領域（例えば、ＲＥ層）にのみ記録されている第２領域特有情報（例えば、層番号情報）をそれぞれ再生する記録再生装置（光ディスク装置）と、配信情報の送信を要求する配信要求、上記記録再生装置が再生した識別情報、および上記第２領域特有情報が再生されたことを示す再生情報をサーバへ送信する端末装置と、受信した識別情報による認証の結果および上記再生情報の受信の結果に基づいて、要求された配信情報の配信の可否を判定し、配信可能と判定した場合に、要求された配信情報を上記端末装置へ送信するサーバとを含み、上記記録再生装置は、上記サーバが送信した配信情報を、上記端末装置を介して受信し、当該配信情報を上記第２領域に記録することを特徴としている。
【０１３３】
上記の構成によれば、情報記録媒体の第１領域には、配信情報を配信するときの認証に用いられる識別情報が予め記録されている。また、情報記録媒体が有する第２領域には第２領域特有情報が予め記録されている。記録再生装置は、情報記録媒体に記録された識別情報および第２領域特有情報の再生を行う。
【０１３４】
端末装置は、配信情報の送信を要求する配信要求、記録再生装置が再生した識別情報、および上記第２領域特有情報が再生されたことを示す再生情報をサーバへ送信する。
【０１３５】
サーバは、端末装置から受信した識別情報による認証の結果および上記再生情報の受信の結果に基づいて、端末装置から要求された配信情報の配信の可否を判定する。そして、サーバは、配信情報を配信可能と判定した場合に、要求された配信情報を上記端末装置へ送信する。
【０１３６】
端末装置は、サーバが送信した配信情報を記録再生装置へ送信し、記録再生装置は、受信した配信情報を情報記録媒体の第２領域に記録する。
【０１３７】
この構成では、識別情報による認証の結果に加えて、上記第２領域特有情報が再生されたことを示す再生情報の受信の結果に基づいて、要求された配信情報の配信の可否が判定される。第２領域特有情報は、配信情報の記録が許可されている記録媒体（すなわち、上記識別情報が記録されている記録媒体）の第２領域に記録されている。そのため、第２領域特有情報が再生されたことを示す再生情報を取得できたことは、光ピックアップの再生対象（または記録対象）が第２領域に移動したことを意味する。
【０１３８】
このように上記の構成では、識別情報に加えて、第２領域特有情報が再生されたことを示す再生情報を、配信情報の配信の可否の判定に用いることができるため、配信情報の配信が許可されるべき記録媒体以外の記録媒体に対して不正に配信情報が記録される可能性を低減することができる。
【０１３９】
また、本発明の一態様に係る情報配信システムにおいて、上記端末装置は、上記記録再生装置から上記情報記録媒体の排出を検出すると、その旨を示す排出情報を上記サーバへ送信し、上記サーバは、上記排出情報を受信した場合に、上記配信情報の送信を禁止することが好ましい。
【０１４０】
上記の構成によれば、端末装置は、記録再生装置から情報記録媒体の排出を検出すると、その旨を示す排出情報をサーバへ送信する。
【０１４１】
サーバは、端末装置から排出情報を受信した場合に、配信情報の送信を禁止する。
【０１４２】
それゆえ、配信情報の記録が許可されるべき情報記録媒体が記録再生装置から排出され、他の情報記録媒体に差し替えられた場合に、他の情報記録媒体に対して不正に配信情報が記録されることを防ぐことができる。
【０１４３】
また、本発明の一態様に係る端末装置は、情報記録媒体が有する情報を再生する記録再生装置を制御することにより、上記情報記録媒体の第１領域に予め記録されており、配信情報を配信するときの認証に用いられる識別情報、および上記情報記録媒体の第２領域にのみ予め記録されている第２領域特有情報を取得する再生制御手段と、上記再生制御手段が取得した識別情報、上記第２領域特有情報が再生されたことを示す再生情報、および配信情報の送信を要求する配信要求をサーバへ送信する配信要求送信手段と、上記サーバが、受信した識別情報による認証の結果および上記再生情報の受信の結果に基づいて、要求された配信情報の配信の可否を判定し、配信可能と判定した後に、要求された配信情報を送信した場合に、上記配信情報を受信し、上記記録再生装置を制御することにより、当該配信情報を上記第２領域に記録する記録制御手段とを備えることを特徴としている。
【０１４４】
上記の構成によれば、再生制御手段は、情報記録媒体が有する情報を再生する記録再生装置を制御することにより、情報記録媒体の第１領域に予め記録されており、配信情報を配信するときの認証に用いられる識別情報、および情報記録媒体の第２領域にのみ予め記録されている第２領域特有情報を取得する。
【０１４５】
配信要求送信手段は、再生制御手段が取得した識別情報、第２領域特有情報が再生されたことを示す再生情報とともに、配信情報の送信を要求する配信要求をサーバへ送信する。
【０１４６】
記録制御手段は、サーバが、受信した識別情報による認証の結果および上記再生情報の受信の結果に基づいて、要求された配信情報の配信の可否を判定し、配信可能と判定した後に、要求された配信情報を送信した場合に、配信情報を受信し、光ディスク装置を制御することにより、配信情報を第２領域に記録する。
【０１４７】
それゆえ、配信情報の配信が許可されるべき記録媒体以外の情報記録媒体に対して不正に配信情報が記録される可能性を低減することができる。
【０１４８】
また、本発明の一態様に係るサーバは、配信情報の送信を要求する配信要求と、情報記録媒体の第１領域に予め記録されており、配信情報を配信するときの認証に用いられる識別情報と、上記情報記録媒体の第２領域にのみ記録されている第２領域特有情報が再生されたことを示す再生情報とを端末装置から取得する取得手段（識別情報管理部）と、上記取得手段が取得した識別情報による認証の結果および上記再生情報の受信の結果に基づいて、要求された配信情報の配信の可否を判定する判定手段（配信可否判定部）と、上記配信情報の配信が可能と上記判定手段が判定した場合に、要求された配信情報を上記端末装置へ送信する送信制御手段（情報配信部）とを備えることを特徴としている。
【０１４９】
上記の構成によれば、取得手段は、配信情報の送信を要求する配信要求と、情報記録媒体の第１領域に予め記録されており、配信情報を配信するときの認証に用いられる識別情報と、上記情報記録媒体の第２領域にのみ記録されている第２領域特有情報が再生されたことを示す再生情報とを端末装置から取得する。
【０１５０】
判定手段は、取得手段が取得した識別情報による認証の結果および上記再生情報の受信の結果に基づいて、要求された配信情報の配信の可否を判定する。
【０１５１】
送信制御手段は、判定手段が配信情報の配信が可能と判定した場合に、要求された配信情報を端末装置へ送信する。
【０１５２】
それゆえ、配信情報の配信が許可されるべき記録媒体以外の情報記録媒体に対して不正に配信情報が記録される可能性を低減することができる。
【０１５３】
また、本発明の一態様に係るサーバは、上記識別情報を用いて、上記要求された配信情報を暗号化し、暗号化された配信情報を上記端末装置へ送信することが好ましい。
【０１５４】
上記の構成によれば、サーバは、識別情報を用いて、要求された配信情報を暗号化し、暗号化された配信情報を端末装置へ送信する。
【０１５５】
それゆえ、配信情報の配信が許可されるべき記録媒体以外の情報記録媒体に対して不正に配信情報が記録された場合においても、記録された配信情報が再生されるのを防止することができる。
【０１５６】
また、本発明の一態様に係る情報配信システムにおいて、上記第１領域（識別情報領域）は、情報を読み出すことのみ可能な領域であり、上記第２領域（ユーザ記録領域）は、情報を書き換えること、または追記することが可能な領域であることが好ましい。
【０１５７】
上記の構成によれば、第１領域は、情報を読み出すことのみ可能な領域であり、かつ、第２領域は、情報を書き換えること、または追記することが可能な領域である。
【０１５８】
それゆえ、第１領域に記録された識別情報を不正に書き換えることが困難になるとともに、光ピックアップが情報記録媒体の第１領域から第２領域へ移動することを容易に確認することができる。
【０１５９】
また、本発明の一態様に係る端末装置は、上記第１領域に記録されている所定の情報を用いて、上記サーバが送信した配信情報を暗号化し、暗号化された配信情報を上記第２領域に記録することが好ましい。
【０１６０】
上記の構成によれば、端末装置は、第１領域に記録されている所定の情報を用いて、サーバが送信した配信情報を暗号化し、暗号化された配信情報を第２領域に記録する。
【０１６１】
それゆえ、配信情報の配信が許可されるべき記録媒体以外の情報記録媒体に対して不正に配信情報が記録された場合においても、記録された配信情報が再生されるのを防止することができる。
【０１６２】
また、上記端末装置を動作させる制御プログラムであって、コンピュータを上記各手段として機能させるための制御プログラムおよび当該を記録したコンピュータ読み取り可能な記録媒体も本発明の技術的範囲に含まれる。
【０１６３】
また、本発明の一態様に係る情報配信方法は、記録再生装置、端末装置、およびサーバとを含む情報配信システムにおける情報配信方法であって、
情報記録媒体の第１領域に予め記録されており、配信情報を配信するときの認証に用いられる識別情報、および上記情報記録媒体の第２領域にのみ記録されている第２領域特有情報を上記記録再生装置がそれぞれ再生する再生工程と、
配信情報の送信を要求する配信要求、上記記録再生装置が再生した識別情報、および上記第２領域特有情報が再生されたことを示す再生情報を上記端末装置が上記サーバへ送信する識別情報送信工程と、
上記識別情報送信工程において送信された識別情報による認証の結果および上記再生情報の受信の結果に基づいて、要求された配信情報の配信の可否を上記サーバが判定する判定工程と、
上記判定工程において配信可能と判定された場合に、要求された配信情報を上記サーバが上記端末装置へ送信する配信情報送信工程と、
上記配信情報送信工程において送信された配信情報を、上記記録再生装置が上記端末装置を介して受信し、当該配信情報を上記第２領域に記録する記録工程とを含むことを特徴としている。
【０１６４】
また、本発明の一態様に係る制御方法は、端末装置の制御方法であって、
情報記録媒体が有する情報を再生する記録再生装置を制御することにより、上記情報記録媒体の第１領域に予め記録されており、配信情報を配信するときの認証に用いられる識別情報、および上記情報記録媒体の第２領域にのみ予め記録されている第２領域特有情報を取得する再生制御工程と、上記再生制御工程において取得された識別情報、上記第２領域特有情報が再生されたことを示す再生情報、および、配信情報の送信を要求する配信要求をサーバへ送信する配信要求送信工程と、上記サーバが、上記配信要求送信工程において送信された識別情報による認証の結果および上記再生情報の受信の結果に基づいて、要求された配信情報の配信の可否を判定し、配信可能と判定した後に、要求された配信情報を送信した場合に、上記配信情報を受信し、上記記録再生装置を制御することにより、当該配信情報を上記第２領域に記録する記録制御工程とを含むことを特徴としている。
【０１６５】
また、本発明の一態様に係る制御方法は、サーバの制御方法であって、
配信情報の送信を要求する配信要求と、情報記録媒体の第１領域に予め記録されており、配信情報を配信するときの認証に用いられる識別情報と、上記情報記録媒体の第２領域にのみ記録されている第２領域特有情報が再生されたことを示す再生情報とを端末装置から取得する取得工程と、上記取得工程において取得された識別情報による認証の結果および上記再生情報の受信の結果に基づいて、要求された配信情報の配信の可否を判定する判定工程と、上記配信情報の配信が可能と上記判定工程において判定された場合に、要求された配信情報を上記端末装置へ送信する送信制御工程とを含むことを特徴としている。
【０１６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１６７】
なお、本発明は、以下のようにも表現できる。
【０１６８】
すなわち、本発明の情報配信方法は、第１領域と第２領域とを備えた記録媒体において、前記第１領域の所定の領域を認識し、かつ、前記第２領域の所定の領域を認識したことを示す領域認識情報を取得し、前記取得された領域認識情報に基づいて、前記記録媒体に対する情報配信の可否を判断し、前記判断に基づいて配信された情報を前記記録媒体の第２領域に記録する。
【０１６９】
また、本発明の情報配信方法において、前記領域認識情報は、前記第１領域の所定の領域を再生した後に、前記第２領域の所定の領域を再生する前、あるいは、再生した後に、前記記録媒体が排出された場合にリセットされることが好ましい。
【０１７０】
また、本発明の情報配信方法において、前記第１領域は再生専用領域で、前記第２領域は記録可能領域であることが好ましい。
【０１７１】
また、本発明の情報配信方法において、前記記録媒体は、前記第１領域と前記第２領域とがそれぞれ異なる層に存在する構成であることが好ましい。
【０１７２】
また、本発明の情報配信方法は、前記配信された情報を前記記録媒体の第２領域に記録するときに、前記第１領域の所定の情報を用いて前記配信された情報を暗号化して、前記第２領域に記録することが好ましい。
【０１７３】
また、本発明の通信端末は、再生専用領域と記録可能領域とを備えた記録媒体において、前記再生専用領域から前記記録可能領域への領域移動を示す移動情報を取得し、前記取得された移動情報をサーバに送信し、前記サーバの情報配信された情報を前記記録媒体の記録可能領域に記録する。
【０１７４】
また、本発明の記録媒体は、再生専用領域と記録可能領域とを備えており、それぞれの領域に、通信端末が領域移動を検出するための情報を保有している。
【０１７５】
また、本発明のサーバは、再生専用領域と記録可能領域とを備えた記録媒体において、前記再生専用領域から前記記録可能領域への領域移動を示す移動情報を、通信端末から受信し、前記記録媒体に対する情報配信の可否を判断し、前記通信端末に情報配信を行う。
【０１７６】
また、本発明の情報配信システムは、再生専用領域と記録可能媒体とを備えた記録媒体において、前記再生専用領域から前記記録可能領域への領域移動を示す移動情報を取得し、前記取得された移動情報をサーバに送信し、前記サーバの情報配信された情報を前記記録媒体の記録可能領域に記録する通信端末と、前記移動情報を通信端末から受信し、前記記録媒体に対する情報配信の可否を判断し、前記通信端末に情報配信を行うサーバを含む。
【０１７７】
〔ソフトウェアによる実現例〕
最後に、端末装置７０の各ブロック、特に配信情報記録管理部７１、再生制御部７２、および記録制御部７３は、集積回路（ＩＣチップ）上に形成された論理回路によってハードウェア的に実現してもよいし、ＣＰＵ（Central Processing Unit）を用いてソフトウェア的に実現してもよい。
【０１７８】
後者の場合、端末装置７０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである端末装置７０の制御プログラムのプログラムコード（実行形式プログラム、中間コードプログラム、ソースプログラム）をコンピュータで読み取り可能に記録した記録媒体を、上記端末装置７０に供給し、そのコンピュータ（またはＣＰＵやＭＰＵ）が記録媒体に記録されているプログラムコードを読み出し実行することによっても、達成可能である。
【０１７９】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１８０】
また、端末装置７０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８１】
本発明は、コンテンツの配信が許可された記録媒体以外の記録媒体に当該コンテンツが記録されることを防止する情報配信システムとして利用することができる。
【符号の説明】
【０１８２】
１  情報配信システム
２０  ＲＯＭ層（第１領域）
４０  ＲＥ層（第２領域）
６０  光ディスク装置（記録再生装置）
７０  端末装置
７１  配信情報記録管理部（配信要求送信手段）
７２  再生制御部（再生制御手段）
７３  記録制御部（記録制御手段）
９０  サーバ
９２  識別情報管理部（取得手段）
９３  配信可否判定部（判定手段）
９４  情報配信部（送信制御手段）
１００  光情報記録媒体（情報記録媒体）
２００  光情報記録媒体（情報記録媒体）
２０１  識別情報領域（第１領域）
２０２  ユーザ記録領域（第２領域）
【図１】
2014106987.tif 000003
【図２】
2014106987.tif 000004
【図３】
2014106987.tif 000005
【図４】
2014106987.tif 000006
【図５】
2014106987.tif 000007
【図６】
2014106987.tif 000008
【図７】
2014106987.tif 000009
【図８】
2014106987.tif 000010